【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
物品の誘導加熱用に誘導電力を電源回路（１２，１４，１６）から負荷回路（２２，２４，３０）へと伝達する方法であって、前記電源回路（１２，１４，１６）が前記負荷回路（２２，２４，３０）へと結合する充電回路（１８，２０，２２）を含み、
前記負荷回路（２２，２４，３０）のインピーダンスパラメータを決定するステップと；
前記充電回路（１８，２０，２２）のインピーダンスパラメータを決定するステップと；
前記決定された負荷回路（２２，２４，３０）と充電回路（１８，２０，２２）のインピーダンスパラメータに基づいて、前記物品の誘導加熱のために所望される量の高周波数高調波のパルスエネルギーを前記負荷回路（２２，２４，３０）中に提供する電流パルスを、前記負荷回路（２２，２４，３０）へと供給するステップとを含むことを特徴とする方法。
【請求項２】
前記電源回路（１２，１４，１６）が、前記充電回路（１８，２０，２２）を制御するためのスイッチング装置（２０，３０）を含むと共に、所望される前記電流パルスを提供するために、前記スイッチング装置（２０，３０）のオン時間（ｔｏｎ）を決定するステップを含む請求項１に記載の方法。
【請求項３】
所望される前記電流パルスを提供するために、前記スイッチング装置（２０，３０）のオフ時間（ｔｏｆｆ）を決定するステップを含む請求項２に記載の方法。
【請求項４】
前記充電回路（１８，２０，２２）中に蓄積されたエネルギーの少なくとも５０％を前記電流パルス中で伝達することができるようにｔｏｎおよびｔｏｆｆが決定されることを特徴とする請求項３に記載の方法。
【請求項５】
前記充電回路（１８，２０，２２）中に蓄積されたエネルギーの少なくとも９０％を前記電流パルス中で伝達することができるようにｔｏｎおよびｔｏｆｆが決定されることを特徴とする請求項３に記載の方法。
【請求項６】
前記パルスエネルギーの少なくとも５０％が高周波数高調波であることを特徴とする請求項１に記載の方法。
【請求項７】
前記パルスエネルギーの少なくとも９０％が高周波数高調波であることを特徴とする請求項１に記載の方法。
【請求項８】
前記負荷回路（２２，２４，３０）が、０．０１〜０．２の範囲の減衰比を持つことを特徴とする請求項１に記載の方法。
【請求項９】
前記決定されたインピーダンスパラメータの少なくとも１つにおける変化を検出するために、前記物品の加熱サイクル中に、断続的に利用されることを特徴とする請求項１に記載の方法。
【請求項１０】
前記負荷回路（２２，２４，３０）への所望の電力供給に基づき、前記充電回路（１８，２０，２２）の前記インピーダンスパラメータを変更するステップを含む請求項１に記載の方法。
【請求項１１】
誘導加熱のための負荷回路（２２，２４，３０）内に高周波数高調波を有する電流パルスを伝達するために負荷回路に結合されているスイッチング装置（２０，３０）を有し、
前記負荷回路（２２，２４，３０）に結合されている充電回路（１８，２０，２２）と、
そのオン時間中には前記負荷回路（２２，２４，３０）へと電流パルスを伝達するように前記充電回路（１８，２０，２２）を制御するためのスイッチング装置（２０，３０）と、
前記充電回路（１８，２０，２２）のインピーダンスパラメータを決定するための手段と、
前記負荷回路（２２，２４，３０）のインピーダンスパラメータを決定するための手段と、
前記決定されたインピーダンスパラメータに基づいて、前記負荷回路へと所望量の高周波数高調波のパルスエネルギーを供給するように、加熱サイクルにおいて前記スイッチング装置のオン時間およびオフ時間を制御するための監視・制御回路とを具備すことを特徴とする電源制御装置。
【請求項１２】
前記監視・制御回路（１５）が、前記充電回路（１８，２０，２２）および負荷回路（２２，２４，３０）中の電流を監視することにより前記スイッチング装置（２０，３０）の開時間を制御することを特徴とする請求項１１に記載の装置。
【請求項１３】
前記所望量は少なくとも５０％であることを特徴とする請求項１１に記載の装置。
【請求項１４】
前記充電回路（１８，２０，２２）に蓄積された前記エネルギーの５０％以上が前記負荷回路（２２，２４，３０）へと伝達されることになるように、前記スイッチング装置（２０，３０）が前記充電回路（１８，２０，２２）および前記負荷回路（２２，２４，３０）を結合することを特徴とする請求項１１に記載の装置。
【請求項１５】
前記充電回路（１８，２０，２２）に蓄積された前記エネルギーの９０％以上が前記負荷回路（２２，２４，３０）へと伝達されることになるように、前記スイッチング装置（２０，３０）が前記充電回路（１８，２０，２２）および前記負荷回路（２２，２４，３０）を結合することを特徴とする請求項１４に記載の装置。
【請求項１６】
前記充電回路（１８，２０，２２）への入力電圧がＵＤである場合に、前記負荷回路（２２，２４，３０）へと伝達される電圧が少なくとも２ＵＤとなるように前記スイッチング装置（２０，３０）が前記充電回路（１８，２０，２２）を前記負荷回路（２２，２４，３０）へと結合することを特徴とする請求項１１に記載の装置。
【請求項１７】
前記負荷回路（２２，２４，３０）への前記電流パルスの伝達中に電流が前記スイッチング装置（２０，３０）を通じて発振することになるように、前記スイッチング装置（２０，３０）が前記充電回路（１８，２０，２２）を前記負荷回路（２２，２４，３０）へと結合することを特徴とする請求項１１に記載の装置。
【請求項１８】
後の充電サイクルで前記負荷回路（２２，２４，３０）中に非ゼロ電流状態を得るために、前記充電回路（１８，２０，２２）中にエネルギーの蓄積が残されることになるように前記スイッチング装置（２０，３０）が前記充電回路（１８，２０，２２）を前記負荷回路（２２，２４，３０）へと結合することを特徴とする請求項１１に記載の装置。
【請求項１９】
前記スイッチを通じて実質的にゼロ電流状態を得る一方で、前記負荷回路（２２，２４，３０）および充電回路（１８，２０，２２）のいずれにもゼロ電流状態が作られないように、前記オン時間および／またはオフ時間が制御されることを特徴とする請求項１６に記載の装置。
【請求項２０】
前記監視回路（１５）が、前記電流パルス中の電流または電圧の連続するゼロ交差を監視し、そのような監視に基づいて前記電流パルスに所望される形状と周波数を決定する手段を有することを特徴とする請求項１１に記載の装置。
【請求項２１】
前記負荷回路（２２，２４，３０）が、０．０１〜０．２の範囲の減衰比を持つことを特徴とする請求項１１に記載の装置。
【請求項２２】
前記負荷回路（２２，２４，３０）が、０．０５〜０．１の範囲の減衰比を持つことを特徴とする請求項２１に記載の装置。
【請求項２３】
前記負荷回路（２２，２４，３０）の少なくとも１つのインピーダンスパラメータを決定する為の信号を供給する信号発生器を含む請求項１１に記載の装置。
【請求項２４】
前記負荷回路（２２，２４，３０）の少なくとも１つのインピーダンスパラメータの変更のために、前記負荷回路（２２，２４，３０）の応答を監視するための手段（１５）を含む請求項１１に記載の装置。
【請求項２５】
前記負荷回路（２２，２４，３０）が、強磁性または導電性の物品へと磁気結合するヒーターコイルを含むことを特徴とする請求項１１に記載の装置。
【請求項２６】
前記負荷回路（２２，２４，３０）へと供給される電圧または電流のゼロ交差を監視するための手段（１５）を含む請求項１１に記載の装置。
【請求項２７】
前記負荷回路（２２，２４，３０）へと供給される電圧または電流の連続するピークの振幅を監視するための手段（１５）を含む請求項１１に記載の装置。
【請求項２８】
前記スイッチング装置（２０，３０）が並列に配置された複数のスイッチを含むことを特徴とする請求項１１に記載の装置。
【請求項２９】
前記負荷回路（２２，２４，３０）から前記充電回路（１８，２０，２２）を通じて電流が逆流することを防止するための手段を含む請求項１１に記載の装置。